(57)【特許請求の範囲】
【請求項１】
固定筒の内部に移動自在に設けられたレンズ枠をモータの駆動力によって光軸方向に移動するレンズ装置において、
前記固定筒に回動自在に設けられ、前記レンズ枠の光軸方向の移動量に対応した長さの細長い形状をしているとともに、前記モータによって回転駆動される駆動ギアと、
前記レンズ枠と一体的に設けられた支持部材と、
この支持部材に設けられた筒状の軸部の外周面に摺接される内周面と、この内周面の内側に設けられ、前記軸部の中心方向に弾性変形して軸部に抜け止めされる突起部とからなり、前記駆動ギアとの噛合状態がレンズ枠の光軸方向への移動時にも維持され、前記レンズ枠にモータの駆動力を伝達する伝達ギアと
を有することを特徴とするレンズ装置。
【請求項２】
前記突起部は、前記伝達ギアの回転中心を対称軸とする回転対称の複数位置に弾性変形を許容する空隙部が設けてあることを特徴とする請求項１記載のレンズ装置。
【請求項３】
前記軸部の孔は、内径が２段階に形成され、この段差に前記突起部が係合されることを特徴とする請求項１または２記載のレンズ装置。
【発明の詳細な説明】
【０００１】
【発明の属する技術分野】
本発明は、モータの駆動力によりレンズ枠を光軸方向に移動するレンズ装置の改良に関するものである。
【０００２】
【従来の技術】
例えばカメラのズームレンズ装置では、ボディ側に組み込まれたモータの駆動力は伝達ギアを介して伝達されている。この伝達ギアの取付構造としては、図９に示すように、伝達ギア１００の回転中心軸１０１を板部材１０２にカシメたもの（Ａ）、また伝達ギア１０３を板部材１０４に突設した軸部１０４ａに挿通してからビス１０５で取り付けたもの（Ｂ）、また伝達ギア１０６を板部材１０７に突設した軸部１０７ａに挿通してからＥリング１０８やワッシャで抜け止めしたもの（Ｃ）が知られている。
【０００３】
【発明が解決しようとする課題】
しかしながら、上記伝達ギアの取付構造のいずれも工数がかかったり、また部品点数が多くなるという欠点があり、例えばローコストなコンパクトカメラに採用するには不適当であった。
【０００４】
本発明は、以上の事情に鑑みなされたもので、部品点数及び工数コストの低減を図ったレンズ装置を提供することを目的とする。
【０００５】
【課題を解決するための手段】
上記目的を達成するため、本発明のレンズ装置は、固定筒の内部に移動自在に設けられたレンズ枠をモータの駆動力によって光軸方向に移動するレンズ装置において、前記固定筒に回動自在に設けられ、前記レンズ枠の光軸方向の移動量に対応した長さの細長い形状をしているとともに、前記モータによって回転駆動される駆動ギアと、前記レンズ枠と一体的に設けられた支持部材と、この支持部材に設けられた筒状の軸部の外周面に摺接される内周面と、この内周面の内側に設けられ、前記軸部の中心方向に弾性変形して軸部に抜け止めされる突起部とからなり、前記駆動ギアとの噛合状態がレンズ枠の光軸方向への移動時にも維持され、前記レンズ枠にモータの駆動力を伝達する伝達ギアとを有することを特徴とするレンズ装置。
ものである。
【０００６】
また、前記突起部は、前記伝達ギアの回転中心を対称軸とする回転対称の複数位置に弾性変形を許容する空隙部が設けられているものである。また、前記軸部の孔は、内径が２段階に形成され、この段差に前記突起部が係合されるものである。
【０００７】
【発明の実施の形態】
以下、図２及び図３に示すように、本発明に係る伝達ギア及びその取付構造を採用したズームレンズ装置を、固定筒１０、移動筒１１、駆動リング１２、前群レンズ枠１３、後群レンズ枠１４、直進筒１５、後群レンズ用移動筒１６、シャッタブロック１７、直進ガイド枠１８、及び、化粧板１９等で構成される２成分機械補正式の２群ズームレンズとして説明する。なお、この２群ズームレンズは、本出願人による特願平８−２３４２３８号公報に詳しく記載されている。
【０００８】
移動筒１１は、光軸を中心に回転することで固定筒１０の内周で互いに係合されたヘリコイド２０，２１のリードに従って光軸２２の方向に沿って移動する。移動筒１１には、前側に化粧板１９が取り付けられ、また、内部には、前群レンズ１３、シャッタブロック１７、後群レンズ用移動筒１６、直進筒１５、後群レンズ枠１４、駆動リング１２、及び直進ガイド枠１８が順に内蔵される。
【０００９】
直進筒１５には、前側（物体側）にシャッタブロック１７が、また後側（フイルム面側）に直進ガイド枠１８がそれぞれ固定され、これらは移動筒１１に対し光軸２２の方向に沿った移動に一緒に移動し、光軸２２を中心とする回転方向で回転自在に支持される。直進ガイド枠１８の外周には、光軸を中心とする３分割位置に３個のガイド突起２３が形成されている。ガイド突起２３は、固定筒１０に形成した直進ガイド用の開口２４にそれぞれ係合し、シャッタブロック１７と直進筒１５との回転止めの作用を行う。シャッタブロック１７には、前側に前群レンズ枠１３が固定される。
【００１０】
直進ガイド枠１８には、１個のガイド突起２３に伝達ギア２５が取り付けられている。ガイド突起２３の伝達ギア２５が取り付けられる部位には、筒状の軸部２３ａが突設してある。一方、伝達ギア２５には、軸部２３ａの外周面２３ｂに摺接される内周面２５ａと、軸部２３ａの孔２３ｃに回転自在に挿入される突起部２５ｂとが形成されている。この突起部２５ｂは、伝達ギア２５の回転中心を対称軸とする回転対称の複数位置，例えば３か所に切れ目２５ｃが入れてあり、窄まるように弾性変形自在になっている。また、突起部２５ｂの各先端部には、抜け止め爪２５ｄがそれぞれ一体に形成されている。また、軸部２３ａの孔２３ｃは、内径が２段階に形成され、突起部２５ｂが挿入される手前側は突起部２５ｂの外径に対応した内径になっており、段差２３ｄを介して奥側は抜け止め爪２５ｄの最大外径に対応した内径になっている。
【００１１】
突起部２５ｂを軸部２３ａの孔２３ｃに挿入していくと、突起部２５ｂの先端側が窄まるように弾性変形し、抜け止め爪２５ｄが段差２３ｄを超える奥まで達すると、先端側の変形が戻って抜け止め爪２５ｄの後端面が段差２３ｄに係合し、突起部２５ｂが軸部２３ａの孔２３ｃに回転自在に係合される。このように、伝達ギア２５はワンタッチでガイド突起２３に回動自在に取り付けることができ、図９に示すような従来の取付構造に比べて、工数コストや部品点数を大幅に減らすことができる。なお、ガイド突起２３の厚み，段差２３ｄの位置及び抜け止め爪２５ｄの大きさ等は、抜け止め爪２５ｄの先端が孔２３ｃから突出しない値に設定されている。
【００１２】
伝達ギア２５には、固定筒１０の一部の開口２４を介してカメラボディ側の駆動伝達系出力ギアである駆動ギア２６が噛合しており、この駆動ギア２６を介してモータ２７の駆動が伝達される。そして、駆動ギア２６が光軸２２の方向に沿って長い形状とされているため、移動筒１１が繰り出されても伝達ギア２５との間での噛合状態が維持される。
【００１３】
駆動リング１２は、直進筒１５の後端と直進ガイド枠１８との間で、光軸２２を中心に回転自在に支持されている。駆動リング１２には、外周にセクタギア部２８が形成されている。前記伝達ギア２５は、移動筒１１の切り欠き部２９を介して移動筒１１の内部のセクタギア部２８に噛合している。また、駆動リング１２には、光軸２２を中心とする回転方向の３等分位置に、光軸２０の方向の前側に向けて突出した移動筒回転伝達部材３０がそれぞれ一体に設けられている。各移動筒回転伝達部材３０は、光軸２０を中心とする回転方向に沿った長さが一定なキー形状とされており、これらが移動筒１１の内壁の３等分位置に一段凹んで形成された被回転伝達溝３１に、光軸２２を中心とする回転方向に所定の隙間をもってそれぞれ遊嵌される。
【００１４】
後群レンズ用移動筒１６は、内周が直進筒１５の外周に嵌合され、光軸２２を中心とする回転方向に回転自在で、且つ光軸２２の方向に沿って移動自在に支持される。この後群レンズ用移動筒１６には、外周の３分割位置に光軸２２の方向に沿って長く伸びて突出した直進ガイド突起３２がそれぞれ形成されている。これらの直進ガイド突起３２は、移動筒１１の内壁の３分割位置に、光軸２２の方向に沿って一段凹んで形成された直進ガイド溝３３にそれぞれ係合する。これにより、後群レンズ用移動筒１６は、移動筒１１に対して光軸２２の方向に沿って直進自在で、且つ、光軸２２を中心とする回転方向に係合した状態となる。
【００１５】
直進筒１５の内部には、後群レンズ枠１４が内蔵される。後群レンズ枠１４の外周には、３個のカムピン３４が３分割位置に突出して取り付けられる。これらのカムピン３４は、直進筒１５に形成した直進ガイド開口３５を介して後群レンズ用移動筒１６の内周の３分割位置に形成した３個のカム溝３６にそれぞれ係合する。これらのカム溝３６は、変倍時に前群レンズ枠１３に対しての間隔を変更する変倍軌跡に沿って後群レンズ枠１４を移動させる形状とされている。変倍時の後群レンズ枠１４の移動は、直進ガイド開口３５との合成作用により回転止めされた状態で行われる。
【００１６】
変倍時には、モータ２７の回転により駆動リング１２を所定の隙間を越えて回転させることで、詳しくは図５に示すように、移動筒回転伝達部材３０の光軸２２を中心とする回転方向の両端３０ａ，３０ｂのうちの何れかの端が、その回転方向の被回転伝達溝３３の壁３３ａ，３３ｂに当接して、駆動リング１２の回転が移動筒１１に伝達される。移動筒１１が回転すると、ヘリコイド２０，２１のリードに従って光軸２０の方向に移動する。これにより、前群レンズ枠１３と後群レンズ枠１４とを一緒に移動させ、且つ、後群レンズ用移動筒１６を一緒に回転させることでカム溝３６の変位により後群レンズ枠１４を移動させる。カム溝３６の変位に伴う後群レンズ枠１４の移動により前群レンズ枠１３との間の距離が相対的に変化され、焦点距離の変更が連続的に行える。
【００１７】
各移動筒回転伝達部材３０の内側には、カム突起４０がそれぞれ一体に設けられている。これらのカム突起４０は、詳しくは図６に示すように、後群レンズ用移動筒１６の外周の３分割位置に形成されたフォーカス用カム溝４１にそれぞれ係合している。フォーカス用カム溝４１は、後群レンズ枠１４の変倍軌跡とは異なる軌跡で形成されている。合焦時には、駆動リング１２が所定の隙間内で回転される。この回転によりカム突起４０がフォーカス用カム溝４１に沿って移動する。後群レンズ用移動筒１６は、移動筒１１により回転止めされているから、カム突起４０の回転量に対するフォーカス用カム溝４１の光軸２２の方向に沿った変位により後群レンズ用移動筒１６を光軸２２の方向に沿って直進させる。
【００１８】
なお、駆動リング１２が回転するとカム突起４０がフォーカス用カム溝４１に、後群レンズ用移動筒１６の回転方向と直進方向とに向けての２つの作用を与える。このとき、後群レンズ用移動筒１６が移動筒１１と一緒に回転すると、変倍されてしまう。しかしながら、移動筒１１と固定筒１０との間でのヘリコイド２０，２１の結合等による回転負荷が大きいため、移動筒１１との間での直進ガイド３２，３３の作用を介して後群レンズ用移動筒１６の回転が押さえられる。後群レンズ用移動筒１６が回転せずに直進すると、後群レンズ用移動筒１６の内部では直進ガイド開口３５を介して変倍用のカム溝３６とカムピン３４とが係合しているから、その移動と一緒に後群レンズ枠１４も直進する。また、この例では、フォーカス用カム溝４１の両端側を除いた中央の区間を、後群レンズ枠１４のフォーカス移動に利用する。
【００１９】
モータ２７の駆動は、詳しくは図７に示すように、ドライバ４５を介して制御部４６で制御される。モータ２７の駆動ギア２７ａと駆動ギア２６との間には減速ギア列４７が設けられている。制御部４６は操作部４８に設けられたズームボタンの操作に応答してモータ２７を駆動させる変倍制御を行う。ズームボタンは、焦点距離をテレ端に向けて連続的に可変するためのテレ側ズームボタンとワイド側に向けて可変するためのワイド側ズームボタンとで構成されている。なお、図３及び図７に示す符号４９はフイルム面、また符号５０は前カバーである。
【００２０】
制御部４６は、変倍制御後には、詳しくは後述するフォーカス原点制御を行う。その後、操作部４８に設けたシャッタボタンのストロークの半分を押す半押し操作が行われることで、フォーカス制御を行う。そして、シャッタボタンの全押し操作に応答してシャッタ機構を作動し、シャッタレリーズ完了後には、再びフォーカス原点制御を行って待機する。このようなシーケンスは、予めＲＯＭ５１に記憶されている。
【００２１】
モータ２７の駆動軸には、羽根車５２が取り付けられている。羽根車５２の近傍には、馬蹄型の光電センサー５３が取り付けられている。光電センサー５３は、羽根車５２のスリットを読み取ってモータ２７の回転角を検出し、この回転角に応じたパルス信号を制御部４６に送る。制御部４６は、フォーカス原点制御及びフォーカス制御のときに、このパルス信号を利用してモータ２７の停止を制御する。
【００２２】
この例では、撮影レンズの焦点距離を連続的に変更できるが、変倍後にその変倍状態で後群レンズ枠１４を光軸２２の方向に移動させて合焦を行うタイプのため、合焦時に測距した結果が同じでも変倍位置ごとで後群レンズ枠１４を移動させる量が異なる。このため、変倍位置としてはテレ端とワイド端との間の任意の位置を予め複数選択して予め決められている。
【００２３】
シャッタブロック１７の前側には、円弧状のコード板５５が配置されている。このコード板５５には、移動筒１１の前側内部に固定して設けられた摺動ブラシ５６が移動筒１１の回転により摺動する。摺動ブラシ５６は信号用ブラシ５６ａとアース用ブラシ５６ｂとで構成されている。コード板５５には、図８に示すように、移動筒１１の回転により一対の摺動ブラシ５６がそれぞれ摺動する軌跡上に、アース用パターン５７と信号用パターン５８とが配設されている。信号用パターン５８は、移動筒１１がテレ端、ワイド端及びこれらの間の複数の変倍位置に回転するごとに、信号用ブラシ５６ａがパターン５８ａ〜５８ｚに接する形状とされている。
【００２４】
制御部４６は、変倍時にパターン５８ａ〜５８ｚの接することで信号用ブラシ５６ａから得られる信号をカウントし、カウント値に基づいて予め決められた変倍位置を認識する。なお、この例では、移動筒１１がワイド端の回転位置のときに信号用ブラシ５６ａがパターン５８ａに接し、また、テレ端のときにはパターン５８ｚに接する。
【００２５】
変倍制御は、テレ側ズームボタン又はワイド側ズームボタンの操作に応答してモータ２７の回転方向を変えて駆動させ、ズームボタンの操作終了後にモータ２７の駆動を減速して信号用ブラシ５６ａから次の信号を得た時点でモータ２７の減速駆動を停止させる。こうすることで、変倍後には、信号用ブラシ５６ａが任意のパターン５８ａ〜５８ｚの上に確実に接した状態となる。
【００２６】
フォーカス原点制御は、後群レンズ用移動筒１６の光軸２２の方向に沿った移動位置を検出手段で検出するのが確実であるから望ましい。しかしながら、この例では、変倍位置検出手段で兼用して行うようにした。すなわち、フォーカス原点制御は、変倍後の回転位置から移動筒１１をテレ端方向に僅かに回転させる。これにより、カム突起４０がフォーカス用カム溝４１の一端側に最も寄った位置に確実に移動する。したがって、後群レンズ用移動筒１６はその光軸２２の方向に沿った移動範囲のうちの最も後側（フイルム面側）に移動した状態となる。この位置をフォーカス時の原点位置としている。したがって、フォーカス原点制御後の信号用動ブラシ５６ａは、変倍後に任意のパターン５８ａ〜５８ｚの上に接した位置から、テレ端方向に向けて僅かに外れた位置（図８に一点鎖線で示した位置）に移動する。
【００２７】
すなわち、フォーカス原点制御は、モータ２７を正転駆動（移動筒１１がテレ端に向けて回転する方向）させ、信号用ブラシ５６ａが任意のパターン５８ａ〜５８ｚから外れた時点で減速させる。減速時点からは、光電センサ５３から得られるパスル数をカウントし、このカウント値がフォーカス原点制御用パルス数に達した時点でモータ２７の駆動を停止する。これにより、摺動ブラシ５６が一点鎖線の位置に移動することになる。フォーカス原点制御用パルス数は、変倍位置に係わらず一定のパスル数であり、そのデータは予めＲＯＭ５１に記憶されている。
【００２８】
制御部４６のフォーカス制御は、測距部５９を作動させ、測距部５９から被写体距離を得た後にこれに応じたパルス数を前記ＲＯＭ５１から読み出す。その後にモータ２７を逆転駆動（移動筒１１がワイド端に向けて回転する方向）させる。そして、制御部４６は、モータ２７を駆動した時点で光電センサー５３から得られるパルス信号のパスル数をフォーカス原点制御用パルス数から減算し、「０」となった時点で光電センサ５３から得られるパスル信号をカウントする。このカウント値と被写体距離に応じたパスル数とを比較して一致した時点でモータ２７の駆動を停止させる。このフォーカス制御では、駆動リング１２を所定の隙間内で回転させて行うから、移動筒１１が回転することはない。
【００２９】
シャッタレリーズ完了後には、モータ２７を逆転駆動させ、移動筒１１をワイド端の回転方向に回転させる。これにより、信号用ブラシ５６ａが先の変倍位置のときに接したパターン５８ａ〜５８ｚに再び接するから、この位置で一旦モータ２７の駆動を停止する。その後は、前述したフォーカス原点制御を行って摺動ブラシ５６ａをパターン５８ａ〜５８ｚの右側の一点鎖線の位置に移動させる。このようにすれば、フォーカス原点制御用の検出手段を別途用いることなく、前記コード板５５と摺動ブラシ５６とで構成された変倍位置検出手段で兼用することができる。なお、被写体距離に応じたパスル数は、変倍位置ごとに複数種類用意されており、これらはＲＯＭ５１に予め記憶されている。
【００３０】
後群レンズ枠１４のカムピン３４は、直進筒１５の直進ガイド開口３５と後群レンズ用移動筒１６のカム溝３６とに係合しており、変倍時に後群レンズ用移動筒１６が回転することでカム溝３６と直進ガイド開口３５とが重なる交点の移動に誘導されて移動する。
【００３１】
このように構成されたズームレンズ装置の作用を説明する。モータ２７の駆動力は、駆動ギア２７ａ，減速ギア列４７，駆動ギア２６を介して伝達ギア２５に伝達され、伝達ギア２５は軸部２３ａの周りに回転される。そして、さらに伝達ギア２５から駆動リング１２に伝達される。先ず、前群レンズ枠１３と後群レンズ枠１４とが、図３に示すワイド端の状態になっていると仮定する。この状態では、フォーカス原点制御後とされているから、信号用ブラシ５６ａが図８に示すパターン５８ａの右側の一点鎖線の位置にある。このとき、移動筒回転伝達部材３０は、一端面３０ａが被回転伝達溝３３の一端壁３３ａに当接した状態となっている。また、カム突起４０は、フォーカス用カム溝４１の上端側（袋小路側）に位置している。これにより、後群レンズ用移動筒１６は、光軸２２の方向の沿った移動範囲のうちの最も後側に位置した状態とされている。
【００３２】
ワイド端の変倍位置でシャッタボタンの半押し操作が行われると制御部４６は、測距部５９を作動して被写体距離を測距する。そして、得られた被写体距離に応じたパルス数とフォーカス原点制御用パスル数とをＲＯＭ５１から読み出す。その後にモータ２７を逆転駆動させ、光電センサー５３から得られるパスル信号をフォーカス原点制御用パルス数から減算する。そして、その結果が「０」になった時点で、光電センサー５３から得られるパスル信号をカウントする。このカウント値とその時点の被写体距離に応じたパスル数とを比較して一致した時点でモータ２７の駆動を停止する。
【００３３】
この間のモータ２７の逆転駆動は、移動筒１１をワイド端に向けて回転させる方向であるが、回転が所定の隙間内で行われるから、移動筒１１が回転することない。したがって、モータ２７の駆動により駆動リング１２がワイド端方向に向けて回転し、カム突起４０が一緒に回転する。後群レンズ用移動筒１６は、直進ガイド突起３２が移動筒１１の直進ガイド溝３３に係合しているから、カム突起４０がフォーカス用カム溝４１の内部で移動すると、カム突起４０がフォーカス用カム溝４１の前側面４１ａを押して後群レンズ用移動筒１６を光軸２２の方向の前側に向けて直進させる。そして、モータ２７の駆動停止後に、カム突起４０がフォーカス回転域のうちの被写体距離に応じた合焦位置に移動した状態となる。したがって、このときの後群レンズ用移動筒１６の移動は、カム溝３６と直進ガイド開口３５との作用によりカムピン３４に伝達され、後群レンズ用移動筒１６の移動と一緒に後群レンズ枠１４が直進されることになる。なお、合焦は、至近から無限大に向けてピントを合わせる方向で行われる。
【００３４】
撮影者が半押し操作をしたまま更にシャッタボタンの全押し操作を行うと、制御部４６は、シャッタ機構を作動させる。露光完了後、制御部４６は、フォーカス原点制御を行うためにモータ２７を逆転駆動する。この回転は、移動筒１１をワイド端に向けて回転させる方向であるから、今度は移動筒回転伝達部材３０の他端面３０ｂが被回転伝達溝３３の他端壁３３ｂに当接する。これにより、駆動リング１２の回転が移動筒１１に伝達され、移動筒１１がワイド端に向けて回転する。
【００３５】
露光完了後のフォーカス原点制御までは、信号用ブラシ５６ａが図８に示すパターン５８ａの右側の一点鎖線上に位置した状態となっている。そして、露光完了後のフォーカス原点制御により移動筒１１がワイド端に向けて回転するから、信号用ブラシ５６ａがパターン５８ａに接する。このとき、制御部４６はモータ２７の駆動を停止する。その後に制御部４６は、モータ２７を正転駆動させる。この駆動は、信号用ブラシ５６ａがパターン５８ａから外れてＯＦＦ信号が得られる時点まで行われる。したがって、駆動リング１２が所定の隙間を越えて回転し、一端面３０ａが一端壁３３ａに当接して、移動筒１１がテレ端に向けて回転する。ＯＦＦ信号を受けた後には、モータ２７の駆動を減速させ、ＯＦＦ信号を受けた時点からフォーカス原点制御用パスル数の分だけ駆動させた後にモータ２７の駆動を停止する。これにより、信号用ブラシ５６ａがパターン５８ａの右側の一点鎖線上に位置した状態に戻る。
【００３６】
したがって、このときの状態は、一端面３０ａが被回転伝達溝３３の一端壁３３ｂに当接し、また、カム突起４０もフォーカス用カム溝４１の上端側に位置した状態となり、後群レンズ用移動筒１６が光軸２２の方向に沿った後側に移動した状態に戻っている。
【００３７】
ここまでのフォーカス原点制御の作用は、ワイド端からテレ端に向けてズームした任意の変倍位置で、全て同じとなる。すなわち、ワイド端からテレ端に向けてズームすると、駆動リング１２が所定の隙間を越えて回転するから、一端面３０ａが一端壁３３ｂに当接して、駆動リング１２の回転が移動筒１１に伝達される。移動筒１１が回転すると、固定筒１０とのヘリコイド２０，２１のリードに従って光軸２２の方向に沿った前側に向けて移動し、その移動と一緒に前群レンズ枠１３、後群レンズ枠１４、及び、直進筒１５等を移動させる。
【００３８】
また、移動筒１１が回転すると、直進ガイド溝３３と直進ガイド突起３２との作用により後群レンズ用移動筒１６が一緒に回転する。このとき、カム突起４０はフォーカス用カム溝４１の上端側に位置しているから、後群レンズ用移動筒１６は直進筒１５に対して光軸２２の方向に沿った後側の位置で回転されることになる。後群レンズ用移動筒１６が回転すると、直進ガイド開口３５とカム溝３６との作用により後群レンズ枠１４が回転止めされた状態で光軸２２の方向に沿った前側に向けて移動されて、移動筒１の内部で前群レンズ枠１３との間隔が変更される。
【００３９】
ズーム操作が完了すると、信号用ブラシ５６ａがその回転方向（図８に示す反時計方向）に沿った次のパターン５８ｂ〜５８ｚに接した時点でモータ２７の駆動が停止される。このとき、移動筒回転伝達部材３０と被回転伝達溝３３、及びカム突起４０とフォーカス用カム溝４１との位置関係は、一端面３０ａが一端壁３３ｂに当接し、カム突起４０がフォーカス用カム溝４１の上端側に位置しているから、その後のフォーカス原点制御は、前述したと同じ作用になる。
【００４０】
次に、テレ端からワイド端に向けてズーム操作を行うと、モータ２７が正転駆動される。この回転は、所定の隙間を越えて駆動リング１２を回転させるから、移動筒回転伝達部材３０の他端面３０ｂが被回転伝達溝３３の他端壁３３ｂに当接し、移動筒１１がワイド端に向けて回転される。このとき、カム突起４０がフォーカス用カム溝４１の下端側（切り欠き側）に位置しているから、後群レンズ用移動筒１６は直進筒１５に対して光軸２２の方向に沿った前側の位置で回転することになる。
【００４１】
ズーム操作が終わると、信号用ブラシ５６ａがその回転方向（図８に示す時計方向）に沿った次のパターン５８ｂ〜５８ｚに接した時点でモータ２７の駆動が停止される。その後のフォーカス原点制御は、モータ２７を逆転駆動させた後に信号用ブラシ５６ａがパターン５８ｂ〜５８ｚから外れてＯＦＦ信号を受けた後に、フォーカス原点制御用パスル数の分だけモータ２７を駆動してから停止させる。変倍後は、移動筒回転伝達部材３０の他端面３０ｂが被回転伝達溝３３の他端壁３３ｂに当接し、また、カム突起４０がフォーカス用カム溝４１の下端側に位置した状態となっている。
【００４２】
このため、この変倍方向でのフォーカス原点制御は、駆動リング１２を所定の隙間を僅かに越えて回転させることになる。これにより、移動筒回転伝達部材３０の一端面３０ａが被回転伝達溝３３の一端壁３３ａに当接し、カム突起４０がフォーカス用カム溝４１の上端側に位置した状態となるから、どの変倍位置でもフォーカス原点制御により移動筒１１に対する後群レンズ用移動筒１６の光軸２２の方向に沿った位置を同じにすることができる。
【００４３】
以上説明した実施形態は、電動ズームに適用した例であったが、本発明はモータの駆動力を被駆動系に伝達する系であれば、他のものにも適用できる。また、伝達ギアの突起部に３個の切れ目を設けたが、本発明はこの数に限定されないのはもちろんで、例えば４個でもよい。
【００４４】
【発明の効果】
以上のように本発明によれば、伝達ギアが取り付けられる支持部材に筒状の軸部を設けるとともに、伝達ギアには、軸部の外周面に摺接される内周面と、この内周面の内側に設けられ、前記軸部の中心方向に弾性変形して軸部に抜け止めされる突起部とを設けたので、伝達ギアの突起部を軸部の孔に挿入するというワンタッチの操作で伝達ギアを支持部材に回転自在に取り付けることができ、部品点数及び工数コストを低減できる。
【００４５】
また、前記突起部は、前記伝達ギアの回転中心を対称軸とする回転対称の複数位置に弾性変形を許容する空隙部を設けたため、簡単な構造で弾性変形の機能を具備できる。また、前記軸部の孔は、内径が２段階に形成され、この段差に前記抜け止め爪が係合されるようにしたので、突起部が反対側の孔から突出せず、見栄えよく伝達ギアを支持部材に取り付けることができる。
【図面の簡単な説明】
【図１】    本発明に係る伝達ギアとガイド突起との関係を示す説明図である。
【図２】ズームレンズ装置の概略を示す分解斜視図である。
【図３】ズームレンズ装置のワイド端の状態を示す横断面図である。
【図４】伝達ギアの構造を示す断面図である。
【図５】フイルム面側から示すズームレンズ装置の縦断面図である。
【図６】後群レンズ用移動筒の外周面側を示す展開図である。
【図７】ズームレンズ装置のテレ端の状態を示す横断面図である。
【図８】コード板の説明図である。
【図９】従来の伝達ギアの取付構造を示す説明図である。
【符号の説明】
１８  直進ガイド枠
２３，１０２，１０４，１０７  ガイド突起
２３ａ  軸部
２３ｂ  外周面
２５，１００，１０３，１０６  伝達ギア
２５ａ  内周面
２５ｂ  突起部
２５ｃ  切れ目
２５ｄ  抜き止め爪
【図１】
0003859183.tif 000002
【図２】
0003859183.tif 000003
【図３】
0003859183.tif 000004
【図４】
0003859183.tif 000005
【図５】
0003859183.tif 000006
【図６】
0003859183.tif 000007
【図７】
0003859183.tif 000008
【図８】
0003859183.tif 000009
【図９】
0003859183.tif 000010